(57)【要約】  支持構造に装着された嵌め込みパネル（１）の組み立てられた集合体を含む壁のための対風構であって、ガラスパネル（９）、及び前記ガラスパネル（９）を壁に固定するための装着手段を含むものにおいて、装着手段が少なくとも一つの装着部分片（１０）を含み、その形状がハウジング（１１）を画定し、ハウジング（１１）の中にガラスパネル（９）が係合され、ハウジング（１１）においてガラスパネル（９）が接着剤結合によって固定され、装着手段が、前記装着部分片（１０）を支持構造の垂直材（２）又は横材に固定するための適応及び固定部材をさらに含むことを特徴とする。【選択図】図４
2014517167.tif 000002
【特許請求の範囲】
【請求項１】
支持構造に装着された嵌め込みパネル（１）の組み立てられた集合体を含む壁のための対風構であって、ガラスパネル（９）、及び前記ガラスパネル（９）を壁に固定するための装着手段を含むものにおいて、装着手段が少なくとも一つの装着部分片（１０）を含み、その形状がハウジング（１１）を画定し、ハウジング（１１）の中にガラスパネル（９）が係合され、ハウジング（１１）においてガラスパネル（９）が接着剤結合によって固定され、装着手段が、前記装着部分片（１０）を支持構造の垂直材（２）又は横材に固定するための適応及び固定部材をさらに含むことを特徴とする対風構。
【請求項２】
ハウジング（１１）が、横断面においてＵ形状を有し、そのＵ形状が、ガラスパネル（９）の一方の側上に延びる一つの側枝材（１１ａ）、及びガラスパネル（９）の他方の側上に延びる別の側枝材（１１ｂ）を有し、Ｕ形状の下部が前記ガラスパネル（９）の端縁面（９ａ）に面することを特徴とする請求項１に記載の対風構。
【請求項３】
装着手段が、ガラスパネル（９）と側枝材（１１ａ）及び（１１ｂ）の間でハウジング（１１）に配置された封止手段を含むことを特徴とする請求項２に記載の対風構。
【請求項４】
装着手段が、ガラスパネル（９）と側枝材（１１ａ）及び（１１ｂ）の間でハウジング（１１）に配置された位置決めシム（１５）を含むことを特徴とする請求項２又は３に記載の対風構。
【請求項５】
適応及び固定部材が、装着部分片（１０）に固定されかつ横断面において相補的なＵ形状を有する適応部分片（１２）を形成し、その相補的な側枝材（１２ａ，１２ｂ）がハウジング（１１）から離れて延び、前記相補的な側枝材（１２ａ，１２ｂ）の間の分離距離が支持構造の垂直材（２）又は横材の寸法に適応されていることを特徴とする請求項１〜４のいずれかに記載の対風構。
【請求項６】
適応及び固定部材が装着部分片（１０）の支持面（１６）を含み、その支持面（１６）が支持構造の垂直材（２）又は横材と接触することを意図され、側方アーム（１８ａ，１８ｂ）が、最初に装着部分片（１０）上でそれらの端（１９）と除去可能に関節結合され、次に前記側方アーム（１８ａ，１８ｂ）が前記装着部分片（１０）と機械的に共同して作用して剛直な機械的接続を作るときに対応する垂直材（２）又は横材に固定されることを意図されていることを特徴とする請求項１〜４のいずれかに記載の対風構。
【請求項７】
ガラスパネル（９）の縁面（９ａ）に沿って分配された複数の装着手段を含むことを特徴とする請求項１〜６のいずれかに記載の対風構。
【請求項８】
装着部分片（１０）が、接着剤及び／又は封止材の注入のための穴（２５ａ）及び／又は溝（２５）を与えられていることを特徴とする請求項１〜７のいずれかに記載の対風構。
【請求項９】
適応部分片（１２）が、接着剤及び／又は封止材の注入のための穴（２５ａ）及び／又は溝（２５）を与えられていることを特徴とする請求項１〜８のいずれかに記載の対風構。
【請求項１０】
請求項１〜９のいずれかに記載の対風構、及び嵌め込みパネル（１）の組み立てられた集合体を含むファサードを組み立てるためのシステムであって、嵌め込みパネル（１）の組み立てられた集合体の支持構造が垂直材（２）及び横材を含むものにおいて、適応及び固定部材が、接着剤の被覆、両面粘着テープ及び／又はねじの形の結合手段によって垂直材（２）又は横材に機械的に接続されることを特徴とする組み立てシステム。
【請求項１１】
支持構造が建造物の二次骨格であることを特徴とする請求項１０に記載の組み立てシステム。
【発明の詳細な説明】
【技術分野】
【０００１】
本発明は、例えば建造物のための、ガラスから作られた壁又はファサードの作成の一般的な技術分野に関する。本発明は、特に軽量ファサード又はガラス製品の構築及び／又は修復に関する。
【背景技術】
【０００２】
建造物のファサードがガラスから作られるとき、板ガラスパネルの組み立て体が一般的に使用される。板ガラスパネルは、一般的に数メートルの長さ及び幅を持つ。これらの寸法は、明らかに特定の用途に依存する。
【０００３】
板ガラスの建造物のファサードを作成するためには、複数の板ガラスパネルを一緒に結合することが必要である。かかる組み立て体は、横材及び垂直材を含む支持構造の使用を伴なう。支持構造は、コンクリート、鋼または木材のスラブまたは壁タイプの、建造物に強度を与える骨格要素をさらに含む。例えば、軽量ファサード及びガラス製品がこれらの骨格要素に固定される。
【０００４】
それゆえ、横材及び垂直材が、板ガラスパネルを例えば建造物の金属構造に固定するために使用される。これらの横材及びこれらの垂直材はまた、断熱性、防音性、気密性、水密性、及び防風性をファサードに与える。
【０００５】
これらの横材及びこれらの垂直材はまた、気候による負荷及びそれ自身の重量に対してファサードを機械的に安定化する機能を持つ。
【０００６】
これらの横材及びこれらの垂直材はまた、爆発によって発生される衝撃及び／又は突風に対する安全性に寄与しうる。
【０００７】
本発明は、特にカーテンファサード又はカーテン壁として知られる軽量ファサードの作成、及び前記ファサードのための対風構の作成に関する。これらの軽量ファサードは、金属、コンクリートまたは木材で作られた建造物の、主要骨格として言及される構造によって支持される。
【０００８】
対風構（ｗｉｎｄ  ｂｒａｃｉｎｇ）という用語は、例えば屋根ふき材に使用されるトラスタイプの要素を含むように広い意味で理解されることが必要である。
【０００９】
本発明はまた、例えばガラス製品又はガラス屋根のような様々な構造物に適用されることができる。
【００１０】
垂直材及び横材がアルミニウム、鋼、木材から作られるか、又は異なる材料の組み合わせを含む部分片で一体的に形成される支持構造が知られている。
【００１１】
アルミニウム、木材又は鋼で作られた横材及び垂直材を含む既知のカーテン壁システムは、しばしば垂直材の場合には、板ガラスファサードの外側及び内側から良く見えるという欠点を持つ。
【００１２】
ガラス製品又は軽量ファサード（カーテン壁又はカーテンファサードとして言及される）の透明性を高めるために、垂直材及び／又は横材の幾つかが対風構として言及され、かつ建造物の内側に位置されるガラスのストリップによって置換されることが提案されている。
【００１３】
従って、単純なファサード板ガラスの場合、かかるガラスのストリップは、垂直材の代わりに、板ガラスのための連続支持体を構成してもよい。これは、そのとき、「構造物（ｓｔｒｕｃｔｕｒａｌ）」として言及される製品を使用したガラス同士の接着を伴なう。これらの製品、例えば構造マスチックは、一般的にシリコーンから作られるか、又はシリコーンに基づく。構造マスチックは、封止を与えるためにだけ意図される封止材とは、それらが負荷に反抗するか及び／又は負荷を構造に伝達する点で異なる。しかしながら、かかる技術は、強制保険プランの補償範囲が得られることができないような技術手段に関する標準的な基準の不足のために、絶縁性の二重又は三重板ガラスに適用されることができない。結果として、かかる技術は活用されることができない。
【００１４】
さらに、絶縁板ガラスの封止が呼吸（即ち、換気）することが可能であることが必要である一方、二つの板ガラスの間のシリコーンマスチックの使用がいかなる換気も妨げることが考えられる。
【００１５】
さらに、この技術は、建設現場で習得することは難しく、特に組み立て体の機械的一体性及び封止を確保することは難しい。また、清浄性、及び良好な構造的結合を達成するために必要とされる他の条件を建設現場で達成することは難しいことも注目されるかもしれない。
【００１６】
垂直材が規則的な間隔でかつ絶縁板ガラスパネルが縁同士で一緒に結合される領域に沿って垂直に配置された小さいサイズの接続片によって置換される組み立て体もまた知られている。これらの片は、第一に絶縁板ガラスパネル間の、そして第二にガラス対風構に対する機械的接続を構成する。その目的のために、対風構は前記接続片を固定するための穴を持つ。それゆえ、対風構は強化ガラスから作られなければならない。なぜならば穴を開けることによりガラスの機械的強度が低下し、応力が使用時に付与されるのは実際には穴のまわりであるからである。強化ガラスから作られなければならない。ガラスを熱強化することにより、穴を介して伝わる負荷に匹敵するガラスの強度のレベルを得ることを可能にする。
【００１７】
しかしながら、各用途のために専用に設計された接続片は、建造物の外側から及び内側から実際に見えることができるままである。さらに、組み立て体の封止は、もっぱらこの組み立て技術を行なう会社の技術に依存するので、保証されない。また、ある規制は、特別な手段がとられない限り、絶縁板ガラスの縁同士の結合を認めないことも注目されるべきである。かかる手段は、フランスの場合には参考文献ＤＴＵ３９Ｐ１−１で述べられている。
【００１８】
例えば、Ｈ断面の形状の接続片を述べることができ、そこでは二つの板ガラスパネルの縁は互いに面するように係合される。接続片はまた、建造物の内側に位置された側に、ガラス対風構が係合されるＵ形状部分片を含む。ガラス対風構は、前記対風構及び前記接続片を貫通するねじによって接続片に固定される。封止マスチックは、接続片から離れて縁対縁の板ガラスパネル間を封止するために使用される。
【００１９】
接続具を有する構造ガラスファサードシステムが知られており、かかるシステムでは、対風構は、専用目的の金属構成要素及びファサードに作られた穴によってファサードに接続される。これらのシステムは、対風構及び構造ガラスが強化ガラスから作られなければならず、設計及び製造するために複雑になっているので、極めて高価である。これらは、それら自身の重量、及び気候及び爆発の負荷に耐えうる構造であると言われる要素である。厚さを計算するときの設計ルールは、考慮される安全性の余裕のために「嵌め込み（ｉｎｆｉｌｌ）」要素として言及される要素に適用されるものとは異なる。ガラスはより厚く、従ってより高価である。各建造物は、特に建造物の構造と接続する接続片のためにそれ自身の専用設計を要求する。根底にある仮定は、負荷下の建造物の予見できる変形に従って、及び拡大の結果として変動してもよい（吊り下げられた又は固定された対風構、桁を関節結合するための設備など）。例えば細い構造要素の製造は、特注生産グループ（強化、積層、ハンドリング）の一部で特別な技術を要求し、これらのシステムの取付は会社の特別な技術を要求し、それは通常の会社によって使用されることに対する妨げである。それゆえ、これらのシステムは通常の板ガラスや通常のファサード骨格と適合しない。
【００２０】
上述の組み立てシステムを用いると、気密性、水密性又は風密性がいずれも最適化されないし、又は習得されないことが見い出される。さらに、熱の伝達を制限することができない。それゆえ、規則条件に合致させることができない。それゆえ、これらのシステムの性能は、ファサードを作るために関係する会社のノウハウ及び技術に極めて大きく依存する。
【００２１】
屋根ふき材用途に対して、いかなる浸透水も収集されず、排水されない点で上述のシステムは信頼できないことが見出されている。
【発明の概要】
【発明が解決しようする課題】
【００２２】
本発明の目的は、ファサード又は壁の封止又は美的外観又は機械的安定性のいずれも損なわないファサード又は壁のための新しいガラス対風構を提案することによって上述の欠点を克服することである。
【００２３】
本発明の別の目的は、ファサードの封止又は美的外観のいずれも損なわない、板ガラスのファサードとガラス対風構を組み立てるための新しいシステムを提案することによって既知の組み立てシステムと関連した欠点を克服することである。
【００２４】
本発明の別の目的は、実行することが容易でありかつ経済的であるガラス対風構を組み立てて固定するための新しいシステムを提案することである。
【００２５】
本発明の別の目的は、予め組み立てられた副組み立て体の形で簡単かつ経済的に製造されることができるガラス対風構を提供することである。
【課題を解決するための手段】
【００２６】
本発明の上述の目的は、支持構造に装着された嵌め込みパネルの組み立てられた集合体を含む壁のための対風構であって、ガラスパネル、及び前記ガラスパネルを壁に固定するための装着手段を含むものにおいて、装着手段が少なくとも一つの装着部分片を含み、その形状がハウジングを画定し、ハウジングの中にガラスパネルが係合され、ハウジングにおいてガラスパネルが接着剤結合によって固定され、装着手段が、前記装着部分片を支持構造の垂直材又は横材に固定するための適応及び固定部材をさらに含むことを特徴とする対風構を使用することによって達成される。
【００２７】
本発明による対風構の一実施形態によれば、ハウジングが、横断面においてＵ形状を有し、そのＵ形状が、ガラスパネルの一方の側上に延びる一つの側枝材、及びガラスパネルの他方の側上に延びる別の側枝材を有し、Ｕ形状の下部が前記ガラスパネルの端縁面に面する。
【００２８】
本発明による対風構の一実施形態によれば、装着手段が、ガラスパネルと側枝材の間でハウジングに配置された封止手段を含む。
【００２９】
本発明による対風構の一実施形態によれば、装着手段が、ガラスパネルと側枝材の間でハウジングに配置された位置決めシムを含む。
【００３０】
本発明による対風構の一実施形態によれば、適応及び固定部材が、装着部分片に固定されかつ横断面において相補的なＵ形状を有する適応部分片を形成し、その相補的な側枝材がハウジングから離れて延び、前記相補的な側枝材の間の分離距離が支持構造の垂直材又は横材の寸法に適応されている。
【００３１】
本発明による対風構の一実施形態によれば、適応及び固定部材が装着部分片の支持面を含み、その支持面が支持構造の垂直材又は横材と接触することを意図され、側方アームが、最初に装着部分片上でそれらの端と除去可能に関節結合され、次に前記側方アームが前記装着部分片と機械的に共同して作用して剛直な機械的接続を作るときに対応する垂直材又は横材に固定されることを意図されている。
【００３２】
例えば、本発明による対風構は、ガラスパネルの縁面に沿って分配された複数の装着手段を含む。
【００３３】
有利には、装着部分片が、接着剤及び／又は封止材の注入のための穴及び／又は溝を与えられている。
【００３４】
代替的に、又は追加的に、適応及び固定部材が、接着剤及び／又は封止材の注入のための穴及び／又は溝を与えられている。代替的に又は追加的に、適応部分片が、接着剤及び／又は封止材の注入のための穴及び／又は溝を与えられている。
【００３５】
また、本発明の上述の目的は、上述の対風構、及び嵌め込みパネルの組み立てられた集合体を組み立てるためのシステムであって、嵌め込みパネルの組み立てられた集合体の支持構造が垂直材及び横材を含むものにおいて、適応及び固定部材が、接着剤の被覆、両面粘着テープ及び／又はねじの形の結合手段によって垂直材又は横材に機械的に接続されることを特徴とする組み立てシステムを使用して達成される。
【００３６】
本発明による組み立てシステムの一実施形態によれば、嵌め込みパネルは、二重板ガラス又は三重板ガラスタイプの絶縁ガラスから作られる。
【００３７】
本発明による組み立てシステムの一実施形態によれば、ガラスパネルは、一枚のガラスシート、又は二重板ガラスもしくは三重板ガラスタイプの絶縁ガラスから作られる。
【００３８】
本発明による組み立てシステムの一実施形態によれば、支持構造は建造物の二次骨格である。
【００３９】
また、本発明の上述の目的は、上述のように、カーテン壁もしくはカーテンファサード、ガラス製品、又は対風構を含む屋根もしくは屋根の場合にはトラスを使用して達成される。
【００４０】
本発明による対風構及び組み立てシステムはともに、前記対風構とファサードの間の界面での不透明部分の寸法を減少する利点を持つ。本発明は、例えば３５０ｍｍ厚のガラスのストリップに対して不透明部分を約４０又は５０ｍｍの長さに減少することができる。ガラスのストリップは、実際に自重の負荷や、ファサードが受ける風又は低気圧によって生じる天候の負荷に対抗し、支持構造の垂直材及び／又は横材を形成する部分片の寸法を減少することができる。
【００４１】
それゆえ、本発明によるかかる対風構は、組み立て体に機械的安定性を与え、また衝撃に対する安全性にも寄与しうる。
【００４２】
さらに、本発明による対風構及び組み立てシステムを用いると、通常の部分片は、ファサード又は屋根の絶縁板ガラスへの接続の機能、及び気密性、水密性、及び風密性の機能をなお遂行する。同じことは、絶縁板ガラス相欠きはぎ接合の水の浸入の排出及び収集にも当てはまる。
【００４３】
これらの部分片は、従来のように板ガラス組み立て体のための音響的及び熱的な規制条件を本質的に満足する。
【００４４】
それゆえ、本発明による対風構及び組み立てシステムの両方の一つの利点は、商業的に利用可能なファサード又はガラス製品システムの維持された性能及び特性にある。
【００４５】
本発明の別の利点は、アニールされた板ガラスを使用する可能性にあり、積層されるか、又はそうでなければそれに穴を全く作らずに、前記板ガラスを前もって強化する必要なしで対風構を作る。この板ガラスはまた、より広く利用可能である。従って、これは極めて有意な経済的利点を生み出す。
【００４６】
本発明による対風構の別の利点は、商業的に利用可能な支持構造の全ての部分片にそれを適応する可能性を通して得られ、これは単にサイズの変化により達成される。
【００４７】
本発明の別の利点は、ファサード板ガラス及び対風構が通常の方法で設置され、取付会社に対して特別な技術を持つことを要求しないことにある。
【図面の簡単な説明】
【００４８】
本発明の他の特徴は、限定されない例によって与えられる添付図面を参照してなされる以下の記載を読むと明らかになるだろう。
【００４９】
【図１】図１は、本発明による対風構と機械的に共同して作用することを意図されるファサードの一実施形態の水平断面の部分図である。
【図２】図２は、本発明による組み立てシステムの部分を構成するための本発明による対風構の一実施形態の横断面の概略図である。
【図３ａ−３ｃ】図３ａ，３ｂ及び３ｃは、本発明による組み立てシステムを形成するために板ガラスファサードの垂直材に本発明による対風構の別の実施形態を固定する操作を示す。
【図４】図４は、本発明による組み立てシステムの部分を構成するための本発明による対風構の別の実施形態の横断面の図である。
【図５−６】図５及び図６は、それぞれ内側から及び外側から見た、ファサードに装着された本発明による対風構を概略的に示す。
【発明を実施するための形態】
【００５０】
幾つかの異なる図面に存在しかつ構造的にも機械的にも同一の要素は、同じ数字及びアルファベット数字を割り当てられる。
【００５１】
図１は、ガラス対風構と機械的に共同して作用することを意図されるファサード又は壁の水平断面の部分図である。壁は、支持構造に装着された嵌め込みパネル１の組み立てられた集合体を含む。支持構造はそれ自体知られており、垂直材２及び横材から作られる。
【００５２】
垂直材２は、嵌め込みパネル１を装着しかつそれらを一緒に接合する手段を構成する。
【００５３】
各垂直材２は、嵌め込みパネル１に面して、二つの隣接嵌め込みパネル１を固定しかつ機械的に接続するために、構造内側部分２ａ、及び前記内側部分２ａに装着された外側部分２ｂを持つ。
【００５４】
内側部分２ａはまた、封止手段４と関連した位置決め部材３を含み、封止手段４に対して嵌め込みパネル１が圧迫する。
【００５５】
外側部分２ｂは、内側部分２ａに対する機械的取り付けを与えるために、きつく適合するカバーストリップ、トリム及びねじ又はボルトタイプの固定部材５を含む。固定部材５は、二つの隣接嵌め込みパネル１の縁１ａのまわりに位置された空間６において壁を貫通することが有利である。
【００５６】
外側部分２ｂは、前記嵌め込みパネル１の外側面に対してもたれることによって嵌め込みパネル１を締め付ける。このもたれかかりは、有利には追加の封止手段７によって達成される。
【００５７】
封止手段４及び追加の封止手段７はシールの形であることが好ましい。これらは、例えばＥＰＤＭもしくはシリコーンタイプの材料からまたは他の弾性材料から作られる。
【００５８】
内側部分２ａは、例えば４５〜８０ｍｍの幅ｌ及び２５〜３００ｍｍの深さｐを有する、金属から作られた部分片である。例えば、カーテン壁のために意図されるかかる部分片は、５０ｍｍの幅ｌ及び約２５ｍｍの深さｐを持つ。
【００５９】
代替的には、内側部分２ａ及び／又は外側部分２ｂは木材又はＰＶＣから作られてもよい。また、内側部分２ａが金属材料（例えばアルミニウム）から作られ、外側部分２ｂが異なる材料から作られることも考えられる。これは、外側部分２ｂのトリムに関して特に有利である。
【００６０】
図２は、本発明による対風構の一実施形態の横断面の部分概略図である。本発明による対風構は、例えば支持構造に装着される嵌め込みパネル１の組み立てられた集合体を含む壁に固定されることを意図される。
【００６１】
対風構は、ガラスパネル９、及び前記ガラスパネル９を壁に固定するための装着手段を含む。
【００６２】
装着手段は少なくとも一つの装着部分片１０を含み、その形状はハウジング１１を画定し、ハウジング１１の中にガラスパネル９が係合され、接着剤結合によって固定される。
【００６３】
装着手段はまた、前記装着部分片１０を支持構造の垂直材２に又は代わりに横材に固定するための適応及び固定部材を含む。
【００６４】
この目的のための適応及び固定部材は、内側部分２ａ上に適合することを意図される適応部分片１２を含む。
【００６５】
ハウジング１１は、横断面においてＵの形状を有し、そのＵ形状が、ガラスパネル９の一方の側上に延びる一つの側枝材１１ａ、及びガラスパネル９の他方の側上に延びる他の側枝材１１ｂを有する。Ｕ形状の下部は、前記ガラスパネル９の端縁面９ａに面して位置される。構造マスチック１３の被覆は、ハウジング１１の下部に付与されることが有利である。
【００６６】
本発明による対風構の一実施形態によれば、装着手段は、ガラスパネル９と側枝材１１ａ及び１１ｂの間でハウジング１１に配置された封止及び／又は仕上手段を含む。封止手段は、封止マスチック１４の少なくとも一つの被覆又はＥＰＤＭもしくはシリコーンから作られた部分片からなることが有利である。
【００６７】
本発明による対風構の一実施形態によれば、装着手段は、ガラスパネル９と側枝材１１ａ及び１１ｂの間でハウジング１１に配置された位置決めシム１５を含む。位置決めシム１５は、ガラスパネル９がハウジング１１において中心に位置されることを可能にし、構造マスチック１３の被覆と封止マスチック１４の被覆の間に位置される。
【００６８】
装着部分片１０に固定された適応部分片１２は、横断面において相補的なＵ形状を持ち、その相補的な側枝材１２ａ及び１２ｂは、ハウジング１１から離れてかつ側枝材１１ａ及び１１ｂから離れて延びる。相補的な側枝材１２ａ及び１２ｂの間の分離距離は、垂直材２の幅ｌに合うように適応される。相補的な側枝材１２ａ及び１２ｂを接続する部分片の部分１２ｃは、Ｕ形状の下部及び相補的なＵ形状の下部を構成することが有利である。
【００６９】
部分片の部分１２ｃは、両面粘着テープまたはマスチックを含むあらゆる手段によって接着剤結合により内側部分２ａに固定されてもよい。かかる操作は、会社によって現場で実施されることが必要である。
【００７０】
一実施形態によれば、装着部分片１０及び適応部分片１２は単一要素として、例えばアルミニウムで作られる。
【００７１】
別の実施形態によれば、装着部分片１０及び適応部分片１２は複数の部品で作られ、接着剤結合によって及び／又はねじもしくはクリップ留めによって組み立てられる。
【００７２】
図３ａ，３ｂ及び３ｃは、複数の部品で作られた本発明による対風構の別の実施形態を垂直材２に固定する操作を概略的に示す。
【００７３】
この実施形態では、適応及び固定部材は装着部分片１０の支持面１６を含む。支持面１６は、垂直材２の内側部分２ａの一端１７と接触している。適応及び固定部材はまた、第一にそれらのフック形状の端１９で装着部分片１０に除去可能に関節結合されることを意図される側方アーム１８ａ及び１８ｂを含む。多かれ少なかれ端１９に相補的である形状の切欠き２０が装着部分片１０上に与えられ、前記側方アーム１８ａ及び１８ｂの関節結合された相対運動及び係合を可能にする。
【００７４】
従って、これらの関節結合は、側方アーム１８ａ及び１８ｂが内側部分２ａのそれぞれの側面２１上に位置されることを可能にする。
【００７５】
次いで側方アーム１８ａ及び１８ｂは側面２１に固定されるが、同時に内側部分２ａと前記装着部分片１０の間の剛直な機械的接続を確立するために前記装着部分片１０となお機械的に共同して作用する。この固定は、例えばねじ２２を使用して、もし必要なら接着剤結合を補なって得られる。
【００７６】
次いで保護カバー２３が側方アーム１８ａ及び１８ｂ上にクリップ留めされることが有利である。これらの保護カバー２３は一方でねじ２２を保護し、本発明による対風構の美的外観を改良する。
【００７７】
単純な、モノリシックの、又は積層されたガラスのストリップからなるガラスパネル９は、接着剤２４の被覆を使用して装着部分片１０に固定される。
【００７８】
図４に示された実施形態では、支持面１６は、内側部分２ａに対する機械的結合を改良するように、接着剤で満たされることを意図される溝２５を持つ。内側部分２ａに側方アーム１８ａ及び１８ｂを固定するために使用されるねじ２２は描かれていない。
【００７９】
装着部分片１０及び適応部分片１２はまた、接着剤又は他のあらゆる接着剤もしくは封止材料の注入のためのせん孔２５ａ又は穴を持ってもよい。
【００８０】
この実施形態では、ガラスパネル９は、その面の各々の上に、ＥＰＤＭ又はシリコーンから作られたシール２６を含む。このシールは、接着によってガラスパネル９に固定されてもよい。シリコーンシール２６は、それに合った形状を持つ側方アーム１８ａ又は１８ｂの内側面上へのクリップ留めを可能にする形状を持つことが有利である。装着部分１０上にガラスパネル９を装着することは、装着部分片１０の内側に空の空間を作る。この空間は構造接着剤２７ａで少なくとも部分的に満たされる。
【００８１】
本発明の文脈においてクリップ留めするために意図される構成要素の形状はそれ自体知られており、それゆえさらに記載されない。
【００８２】
図５及び６は、軽量ファサード上に装着された本発明による対風構を概略的に示す。図５は、嵌め込みパネル１の組み立てられた集合体を含むファサードの内側からの図である。図６は、外側からのこの同じファサードの図である。
【００８３】
本記載が明確に記載された例に制限されず、他の実施形態及び／又は手段を含むことは極めて明らかである。従って、記載された技術的特徴又は記載された実施工程は、等価な技術的特徴によって又は等価な工程によって本発明の範囲から逸脱せずに置換されることができる。
【図１】
2014517167.tif 000003
【図４】
2014517167.tif 000004
【図５−６】
2014517167.tif 000005
【図２】
2014517167.tif 000006
【図３ａ−３ｃ】
2014517167.tif 000007
【国際調査報告】
2014517167.tif 000008
2014517167.tif 000009
2014517167.tif 000010
2014517167.tif 000011